(57)【特許請求の範囲】
【請求項１】
浄活水器本体が、給水管を連結している浴槽給水口ならびに給水ホースおよび注水ホースをそれぞれ連結しているシャワー給水口および注水口を有してなり、前記シャワー給水口に連結する給水ホースの中間部が係止片により固定されていることを特徴とする浴用浄活水器。
【請求項２】
請求項１に記載の浴用浄活水器において、
前記係止片は、シャワーホルダーに挿入・固定するための挿入部を有していることを特徴とする浴用浄活水器。
【請求項３】
請求項１に記載の浴用浄活水器において、
前記注水口に連結する注水ホースの中間部が係止片により固定されていることを特徴とする浴用浄活水器。
【請求項４】
請求項３に記載の浴用浄活水器において、
前記給水ホースと前記注水ホースとが１個の係止片により固定されていることを特徴とする浴用浄活水器。
【請求項５】
請求項４に記載の浴用浄活水器において、
前記係止片は、前記給水ホースおよび前記注水ホースが貫通するような径の２本の孔を削切したものであることを特徴とする浴用浄活水器。
【請求項６】
請求項４に記載の浴用浄活水器において、
前記係止片は、前記給水ホースの端部および前記注水ホースの端部と嵌合する孔口を有していることを特徴とする浴用浄活水器。
【発明の詳細な説明】
【０００１】
【産業上の利用分野】
本発明は、家庭で浴用に使用する水を浄活水化する据置型の浄活水器に関する。
【０００２】
【従来の技術】
従来、浴用に使用する据置型の浄活水器は切替えスイッチの操作によりシャワー用または浴槽用に給水するようにしている。この型の浄活水器はシャワーを使う時にシャワーヘッドを移動、反転させるとシャワーヘッドと浄活水器本体とを連通させている給水ホースの牽引、うねりまたは反転に伴って浄活水器本体が転倒してしまう欠点がある。
従来浴用浄活水器のこのような欠点を補うために、浄活水器本体を大きく重く作って浴室内に設置する方法が行われている。この方法は確かにシャワー使用時の浄活水器本体の転倒を防ぐことができるが、必要以上に大きく重く作ることになるので浴室内に広いスペースを確保せねばならないため、使用者に窮屈な思いをさせる欠点がある。
【０００３】
【発明が解決しようとする課題】
本発明者は、家庭で使用する飲料用浄活水器程度の小規模の浄活水器本体を浴用に使用しても転倒しないような装置を得るために鋭意研究を重ねてきたが、浄活水器本体が転倒するのは、給水ホースを牽引してうねり、反転させることが原因であることに鑑みて、この給水ホースをシャワーヘッドと浄活水器本体の中間において浴室壁面等に固定するようにすれば良いことに想到し、本発明を完成させた。
【０００４】
【課題を解決するための手段】
本発明は、浄活水器本体が、給水管を連結している浴槽給水口、給水ホースおよび注水ホースをそれぞれ連結しているシャワー給水口および注水口を有してなり、前記シャワー給水口に連結する給水ホース、そして必要により前記注水口に連結する注水ホースが係止片に保持されていることを特徴とする浴用浄活水器である。
【０００５】
以下、図面により本発明の内容を説明する。
図１は本発明の実施態様を示す正面図であり、図中１は浄活水器本体である。この浄活水器本体１は、この種据置型の浄活水器に通常使用するステンレススチール、アルミニウム、真鍮、鉄アルミニウム合金、鉄チタン合金、鉄亜鉛合金、鉄クロム、鉄マンガン、鉄モリブデン、鉄ニッケル、鉄ポロン、鉄シリコン、鉄チタン、ニッケルクロム鋼、クロムモリブデン鋼、ニッケルクロムモリブデン鋼等の金属、窒化アルミニウム、窒化ホウ素、チタン酸アルミニウム、フッ素金雲母等のセラミックス、ポリ酢酸ビニル、ポリエチレン、低密度ポリエチレン、高密度ポリエチレン、アクリロニトリル、ポリエチレンテレフタレート、ポリブチレンテレフタレート、ポリプロピレン、ポリブテン、ポリビニルアルコール、ポリ塩化プロピレン、ポリ塩化ビニル、ポリフッ化ビニリデン、ポリアミド、アクリル樹脂、アセタール樹脂、フッ素樹脂、アクリロニトリル・スチレン、アクリロニトリル・ブタジエン・スチレン樹脂、ポリスチレン、ユリア樹脂、メラミン・フェノール樹脂等の合成樹脂、陶土、焼結粘土等の天然または合成セラミックスを用いて作られ、高さ約５〜２００ｃｍ、好ましくは約２０〜３０ｃｍ、口径約５〜５０ｃｍ、好ましくは約７〜１０ｃｍのサイズのものである。
【０００６】
この浄活水器本体１には注水口１２が設けられており、この注水口１２を経て水道蛇口等の注水原に一端が連結し、他端が前記注水口１２に連結している注水ホース１２１を通過した注水原からの原水が浄活水器本体１の内部に注入される。
本発明において前記注水口１２の位置および口径は任意に定めてよく、据置型の家庭用浄活水器に通常行われる形態にすればよい。また、前記注水ホース１２１もこの種の家庭用浄活水器に通常用いる天然または合成ゴム、合成樹脂、金属等を用いて製造したものを使用すればよい。
【０００７】
この浄活水器本体１の蓋部または底部１１は着脱自在に作られており、内部に浄水カートリッジ２または活水カートリッジ３が装入されている。
前記浄水カートリッジ２の形態は任意に定めてよく、据置型の家庭用浄活水器に通常使用するものであってもよい。
この浄水カートリッジ２には、粉状、粒状或いは粉粒状の活性炭、イオン交換樹脂、または中空糸膜に形成した逆浸透膜、限外濾過膜、マイクロフィルター膜等の濾過材２１が充填されており、浄活水器本体１に導入された原水を濾過して水道水の異臭や残留塩素、トリハロメタン等の有害物質、鉄錆、ゴム屑、微細な砂、金属片等の異物を除去する機能を有している。
【０００８】
前記活水カートリッジ３には、鉱物砕片３１が充填されて浄活水器本体１に導入された原水にミネラルを溶出させる機能を有している。この鉱石砕片３１は、好ましくは粉状、粒状、粉粒状に粉砕されており、人体に有益な微量ミネラル成分、例えば銅、マンガン、亜鉛、鉄、硫黄、カリウム、カルシウム、マグネシウム等を含有し、水に溶出し得る鉱物、例えば医王石、バクハン石、トルマリン、ケイソウ土、ゼオライト、銀ゼオライト、コーラルサンド、磁鉄鉱、酸化チタン、大理石、石灰石、湯の花等が挙げられる。これらを最大径０．１〜１ｃｍ程度に機械的に粉砕したものを、単独でもしくは２種以上を混合したものをそのまま、必要により３００〜１２００℃の温度で焼成して使用する。
【０００９】
前記浄水カートリッジ２または活水カートリッジ３で浄化またはミネラル溶出された水は、浄活水器本体１に取付けられた三方弁または二方弁仕様の切替えコック１５を操作することにより浴槽給水口１３またはシャワー給水口１４を経て給水管１３１または給水ホース１４１に流入する。
例えば前記切替えコック１５が二方弁仕様のものである場合、水道蛇口からの原水は注水ホース１２１により注水口１２を経て浄水カートリッジ２または活水カートリッジ３に注入されて浄化またはミネラル溶出され、二方弁の作動により浴槽給水口１３およびシャワー給水口１４のいずれか一方が開口し、残る一方が閉口する。この場合、給水量は水道蛇口の操作により調節する。
【００１０】
一方、三方弁仕様の場合は、切替えコック１５の操作により注水口１２を開口することにより本発明浴用浄活水器の使用を開始し、同時に浴槽給水口１３およびシャワー給水口１４のいずれか一方が開口し、残る一方が閉口する。そして切替えコック１５の操作により注水口１２を閉口することによりこの装置の使用を終了するのである。
【００１１】
前記浴槽給水口１３を経た処理水は給水管１３１を通って浴槽に給水される。この給水管１３１の材質は金属、合成樹脂、セラミックス等前記浄活水器本体１に用いているものと同様のものを使用すればよい。
【００１２】
また、前記シャワー給水口１４を経た処理水は、金属、ゴム、合成樹脂等前記注水ホース１２１と同様の材料で作った給水ホース１４１を通過し、シャワーヘッド４に至って散水されるが、本発明において浴室の壁面に取付けた係止片５に前記給水ホース１４１の中間部を固定されている。なお、この係止片５の取付け部位は浴室の壁面に限られるわけではなく、例えば浴槽の外壁であってもよい。
【００１３】
この係止片５は、前記給水ホース１４１の中間部を処理水の通過が可能な状態に維持しながら壁面等に固定できるものであれば足り、その形態は任意に定めてよい。
この係止片５は、例えば図２に示すフック型の形態に作ればよい。即ち、合成樹脂、金属、木材、セラミックス等の材料を用いて、給水ホース１４１の外径よりも大きな厚みおよび正面幅で、給水ホース１４１の外径の２倍よりも大なる長さの矩形体、例えば給水ホース１４１の外径が２ｃｍの場合、正面３〜４ｃｍ、奥行き長さ５〜６ｃｍ、厚み２．５〜３ｃｍの矩形体を作り、この矩形体の平面の正面寄りの個所に給水ホース１４１の外径より大且つシャワーヘッド４のホース接合部４１よりも小なる内径で円形の穴５１１を垂直に削切し、正面を前記給水ホース１４１の外径よりもやや広めに開口して給水ホース１４１が通過できるようにした保持部５１、この保持部５１の後方の矩形体側面を貫通する前記給水ホース１４１の外径とほぼ同内径の貫通孔５２１を開け、給水ホース１４１を貫通保持するようにした固定部５２および前記矩形の後方底面に、前記給水ホース１４１とほぼ同径で一定長さの柱状体、例えば直径１．５〜２．５ｃｍ、長さ４〜５ｃｍの円柱状ないし円錐台形の柱状体を固定した挿入部５３を有してなるもので、この係止片５の挿入部５３を、浴室の壁面に通常固定してあるシャワーホルダー６に挿入・固定し、シャワー不使用時にシャワーヘッド４のホース接合部４１を前記保持部５１に係止するようにして使用すればよい。
この場合、シャワー使用時にシャワーヘッド４をどのように牽引、反転しようとも給水ホース１４１の中間部が係止片５により壁に固定されているため、給水ホース１４１のうねりが浄活水器本体１に及ぶことがなく、従ってシャワー使用時であっても浄活水器本体１が転倒することがない。
なお、係止片５により固定する給水ホース１４１の部位は、シャワーヘッド４を自由に操作できる程度の係止片５からシャワーヘッド４までの長さ、そして浄活水器本体１の設置場所を多少移動することができる程度に遊びをとる係止片５から浄活水器本体１までの長さを確保できる位置に定めるようにする。
【００１４】
本発明において、ホースの固定は給水ホース１４１について行うことが必要であるが、これに限らず注水ホース１２１をも固定するようにしてもよい。即ち、注水ホース１２１の注水原と注水口１２との中間部を、内部を該注水ホース１２１が貫通できる程度の径に開孔した例えば矩形体状の係止片７を作り、これを浴室の壁面または浴槽の外壁に接着剤等の固定手段により固定して注水ホース１２１を貫通、固定するようにすればよい。
この注水ホース１２１の係止片７による固定位置も前記給水ホース１４１の場合と同様、係止片７から浄活水器本体１までおよび該係止片７から水道蛇口等の注水原までの各長さに遊びをもたせるようにして固定すればよい。
なお、給水ホース１４１と係止片５との嵌合および注水ホース１２１と係止片７との嵌合が緩く、各ホースが係止片５または係止片７内で滑動する恐れがある場合、本発明の目的を充分に達成できないことになるので、接着剤で接着したり、針金で止める等の方法で固定するようにする。
【００１５】
本発明において、給水ホース１４１と注水ホース１２１とを１個の係止片５にて壁面等に固定するようにしてもよい。この場合の係止片５は、例えば前記係止片７と同様の例えば矩形体状に作り、前記給水ホース１４１および注水ホース１２１が貫通するような径の２本の孔を削切したものを接着剤等の固定手段で浴室の壁面または浴槽の外壁に固定するようにして使用すればよい（図３参照）。この場合に、係止片５に開ける孔は各ホースがそれぞれ嵌入し得る径のものを縦または横方向に２本並列させて、或いは十文字に交叉するようにしてそれぞれに給水ホース１４１および注水ホース１２１を嵌入させるようにすればよい。
【００１６】
本発明において、係止片５に削切する孔は１本にして前記給水ホース１４１と注水ホース１２１をあわせて嵌入させるようにすることもできる。
なお、係止片５の孔と給水ホース１４１および／または注水ホース１２１との嵌合が緩い場合に、接着剤、針金等を用いて確実に固定することは前述の通りである。
【００１７】
別法として、前記給水ホース１４１および注水ホース１２１は各々係止片５および係止片７の孔を貫通させるのではなく、これらホースを相当位置にて切断し、その切断部を各孔の孔口に嵌合するようにしてもよい。この場合、個々の孔は浄化または活性化した水と処理前の原水とが混合しないように隔離されて存在しており、２本の孔が部分的にでも合体したり、交叉したりしないようにする。
【００１８】
本発明において、係止片５および係止片７の孔は直線状に一端より他端に貫通するように設けるが（図４（１）参照）、これに限らず側面から上面に抜けるような側面看取「Ｌ」または「Ｓ」字状にする（図４（２）参照）など任意に屈曲させるようにしてもよい。
【００１９】
本発明浴用浄活水器の使用態様は次のようになる。先ず、浴室床面に置いた浄活水器本体１の切替えコック１５を操作して、浄活水器本体１の注水口１２の他に浴槽給水口１３およびシャワー給水口１４のいずれか一方を開口し、残る一方は閉栓する。なお、本発明において前記注水口１２は切替えコック１５により開閉するのでなく、切替えコック１５とは無関係に常時開口させておくようにしてもよい。
次に水道蛇口等の注水原の操作により原水が注水ホース１２１を通って注水口１２から浄活水器本体１に注入される。注入された原水は浄水カートリッジ２または活水カートリッジ３を通過して浄活水化され、開口している浴槽給水口１３またはシャワー給水口１４から給水管１３１を経て浴槽に給水されるか、または給水ホース１４１を経てシャワーヘッド４から散水される。
シャワーヘッド４を使用している時、シャワーヘッド４から係止片５までの給水ホース１４１は自在に移動、反転、うねり運動を行う一方、係止片５の働きによりシャワー給水口１４から係止片５までの給水ホース１４１は移動、反転、うねり等の運動をすることがなく、静止している。
【００２０】
【発明の効果】
本発明浴用浄活水器は以上のような構成のものであり、浄活水器本体１とシャワーヘッド４とを連通させる給水ホース１４１をその中間部において浴室または浴槽の壁面に係止、固定させるので、シャワーヘッド使用中のホースの反転・うねりにより浄活水器本体が転倒してしまう状態を防止することができる利益がある。
【図面の簡単な説明】
【図１】本発明浴用浄活水器の実施態様を示す一部切欠側面図である。
【図２】本発明浴用浄活水器に使用する係止片の斜視図である。
【図３】本発明浴用浄活水器の別の実施態様を示す一部切欠側面図である。
【図４】本発明浴用浄活水器に使用する別の係止片の斜視図である。
【符号の説明】
１            浄活水器本体
１１          蓋部、底部
１２          注水口
１２１        注水ホース
１３          浴槽給水口
１３１        給水管
１４          シャワー給水口
１４１        給水ホース
１５          切替えコック
２            浄水カートリッジ
２１          濾過材
３            活水カートリッジ
３１          鉱物砕片
４            シャワーヘッド
４１          ホース接合部
５            係止片
５１          保持部
５１１        穴
５２          固定部
５２１        貫通孔
５３          挿入部
６            シャワーホルダー
７            係止片
【図１】
0003550066.tif 000002
【図２】
0003550066.tif 000003
【図３】
0003550066.tif 000004
【図４】
0003550066.tif 000005